(57)【特許請求の範囲】
【請求項１】
光ファイバの端部に取り付けられる光コネクタであって、該光コネクタはその長手方向の中心軸に沿って形成された貫通孔および該貫通孔よりも小径の貫通孔小径部を有しており、前記貫通孔内には、前記光ファイバの先端付近を内包すると共に、該光ファイバを前記光コネクタの径方向へ移動調整可能となるように保持されたガイド部材が備えられており、前記貫通孔小径部は前記ガイド部材の外径よりも小径に形成されていて、前記ガイド部材を光コネクタの軸方向に対して付勢して前記貫通孔小径部の先端側端面へ押圧する押え部材を備えていることを特徴とする光コネクタ。
【請求項２】
前記ガイド部材は、その側部から複数個の支持手段によって前記貫通孔内に保持されており、かつ、前記ガイド部材の表面に、前記支持手段の先端が嵌合する溝が形成されていることを特徴とする請求項１に記載の光コネクタ。
【請求項３】
前記支持手段は、弾発自在であり且つ光コネクタの径方向へ突出するよう常時付勢されていることを特徴とする請求項２に記載の光コネクタ。
【発明の詳細な説明】
【０００１】
【発明が属する技術分野】
本発明は、光ファイバに取り付けた光コネクタの先端部において生じる光ファイバの偏心調整を行う手段に関する。
【０００２】
【従来の技術】
近年、光ファイバは多くの分野で用いられるようになった。特に工作機械分野においては、切削や溶接等を行うレーザ加工機が広く用いられ、このレーザ光を伝送する手段として光ファイバが用いられている。
【０００３】
上記光ファイバの端部には、レーザ発振器や、あるいは、加工対象部に向けてレーザ光を照射させる出射レンズ系、などに備えられた光レセプタクルと接続する為の光コネクタが備えられている。特に本分野では、高出力のレーザが用いられる場合が多く、これに対応するように光コネクタにも工夫が成されている。例えば、通信用に使用されている光コネクタでは、その先端部において光ファイバを固定する為に接着剤が用いられた構造となっている。ところが、レーザ加工機に使用されるレーザは高出力である為、通信用の光コネクタのように接着剤が使用されていると、レーザの光軸がずれて光ファイバの周囲の接着剤部分に入射されると接着剤が焼け焦げて、これが原因で光コネクタが損傷する恐れがあった。
【０００４】
そこで、レーザ加工機に使用される光コネクタとして、例えば図１０（Ａ）に示したような、接着剤を使用せずに光ファイバに固定される構造の光コネクタ１００が考えられた。２はレーザ伝送用の光ファイバであり、２Ａは光ファイバ２の保護被覆層が除去された被覆除去部である。３はインナースリーブであって、スリーブ部３Ａとかしめナット３Ｂとから成っている。スリーブ部３Ａには、光ファイバ２を挿通する為の図示していない貫通孔が形成されており、また、スリーブ３Ａの一端側から長手方向に図示していない割溝が形成されている。スリーブ部３Ａの前記割溝側にはかしめナット３Ｂが螺合されて、スリーブ部３Ａの割溝形成部が縮径される。１０１はアウタースリーブであり、長手方向の軸心に沿って貫通孔１０２が形成されている。貫通孔１０２には、アウタースリーブ１０１の先端付近に光ファイバ２の被覆除去部２Ａの外径より僅かに大径の小径部１０２Ｓと、小径部１０２Ｓより基端側にインナースリーブ３が収納出来る大径部１０２Ｌとが形成されている。光ファイバ２はインナースリーブ３の貫通孔１０２に挿入され、インナースリーブ３の内部に光ファイバ２の被覆層を有した部分と被覆除去部２Ａとの境界部を内包するように配置する。そして、スリーブ部３Ａにかしめナット３Ｂを螺合することによってスリーブ部３Ａの割溝形成部を縮径し、前記被覆層を有した部分において光ファイバ２にインナースリーブ３をかしめ固定する。次に、上記で説明したインナースリーブ３が固定された光ファイバ２をアウタースリーブ１０１に挿入し、光ファイバ２の先端を、光コネクタ１００の先端において長手方向に対して任意の位置に配した後、アウタースリーブ１０１とインナースリーブ３とを、アウタースリーブ１０１の側方より形成されたネジ穴５にビス６をねじ込むことによって機械的に固定する。以上により、接着剤を使用することなく光ファイバを固定出来る光コネクタが達成された。
【０００５】
【発明が解決しようとする課題】
上述した光コネクタ１００において、光コネクタ１００の先端面の中心に光ファイバ２の被覆除去部２Ａの中心を配置さるには、前記軸心上に形成した貫通孔１０２の小径部１０２Ｓに光ファイバの被覆除去部２Ａを挿通することにより成される。ところが、光ファイバ２と光コネクタ１００との組立作業性を考慮し、小径部１０２Ｓは被覆除去部２Ａよりも大径に形成されている為、被覆除去部２Ａと小径部１０２Ｓとの間にはギャップが存在する。よって、殆どの場合、図１０（Ｂ）の光コネクタ１００の先端拡大図で示したように、被覆除去部２Ａが小径部１０２Ｓの内壁面側に偏って接してしまい、その結果、被覆除去部２Ａが光コネクタ１００の先端面において偏心するという問題が生じた。この問題は、光ファイバ２を保持しているインナースリーブ３をアウタースリーブ１０１内に固定する際に、光ファイバ２の軸心が光コネクタ１００の軸心からずれることにより生じるもので、光コネクタ１００の構造上、これを防ぐことは実質的に不可能である。
【０００６】
そして、このように先端面で光ファイバが偏心した光コネクタを、上述したレーザ発振器等の光学機器に接続する場合、高出力なレーザを確実に光ファイバのコアに入射させる為の高精度な光軸調整が必要となり、これにはかなりの手間を要してしまう。上記偏心を減少させる為には、貫通孔の小径部１０２Ｓのサイズを被覆除去部１０１Ａの外径に近づければ良いが、その反面、光ファイバ１０１と光コネクタ１００との組立作業性が悪くなってしまうという問題もあった。
【０００７】
本発明は上記問題点を解決するものであり、光コネクタの先端面における光ファイバの偏心調整を可能とする、偏心調整機構を備えた光コネクタの提供を目的としている。
【０００８】
【課題を解決するための手段】
光ファイバの端部に取り付けられる光コネクタであって、該光ファイバを光コネクタに取り付けた後に、前記光ファイバの端部の位置調整を行い得るガイド部材を備えたことを特徴としている。
【０００９】
光ファイバの端部に取り付けられる光コネクタであって、該光コネクタはその長手方向の中心軸に沿って形成された貫通孔を有しており、該貫通孔内には、前記光ファイバの先端付近を内包すると共に、該光ファイバを前記光コネクタの径方向へ移動調整可能となるように保持されたガイド部材が備えられていることを特徴としている。
【００１０】
前記ガイド部材は、その側部から複数個の支持手段によって前記貫通孔内に保持されていることを特徴としている。
【００１１】
前記ガイド部材の表面に、前記支持手段の先端が嵌合する溝が形成されていることを特徴としている。
【００１２】
前記支持手段は、弾発自在であり且つ光コネクタの径方向へ突出するよう常時付勢されていることを特徴としている。
【００１３】
前記ガイド部材を、光コネクタの軸方向に対して固定する押え部材を備えていることを特徴としている。
【００１４】
【作用】
光コネクタの内部に、該光コネクタの径方向へ移動調整可能なガイド部材を備えたので、該ガイド部材を移動させることによって、該ガイド部材に内包された光ファイバの位置を任意に調整することが出来る。
【００１５】
ガイド部材の外周に支持手段が嵌合する溝を形成したので、光コネクタ内においてガイド部材を保持している支持手段を緩めた状態にしたとしても、ガイド部材は光コネクタの長手方向に対してずれや傾きを生じない。
【００１６】
また、ガイド部材を長手方向へ付勢する為の押え部材を備えたので、前記溝が形成されていないガイド部材を用いた場合でも、光コネクタ内においてガイド部材を保持する支持手段を緩めた際に、ガイド部材は光コネクタの長手方向に対してずれや傾きを生じない。
【００１７】
【発明の実施の形態】
本発明について図を用いて説明する。図１は本発明の光コネクタ１の略断面図を示している。２はレーザ伝送用の光ファイバであり、２Ａは光ファイバ２の保護被覆層が除去された被覆除去部である。３はインナースリーブであり、光ファイバ２の被覆層を有した部分と被覆除去部２Ａとの境界部を内包するように配置し固定されている。なお、インナースリーブ３の構造については上述した従来例と同一構造であるので、同一符号を付与しその詳しい説明は省略する。４はアウタースリーブであり、長手方向の軸心に沿って貫通孔４１が形成されている。また、貫通孔４１内の開口部付近には、貫通孔４１よりも小径の貫通孔小径部４２が形成されている。貫通孔４１には、上述したインナースリーブ３が固定された光ファイバ２を挿入し、光ファイバ２の先端がアウタースリーブ４の先端面よりも凹となるように配置した状態で、アウタースリーブ４の側方から形成されたネジ穴５からビス６をねじ込むことによって、インナースリーブ３を貫通孔４１内に固定している。
【００１８】
７は円環状のガイド部材であって、その外径はアウタースリーブ４の貫通孔４１よりも小径であり、また、その径方向の中心には、光ファイバ２の被覆除去部２Ａよりも僅かに大径の貫通孔７Ａが形成されている。なお、ガイド部材７は、光コネクタ１の用途によってその材質が適宜選択され、例えば、光コネクタ１が高出力レーザを伝送する光ファイバに取り付けられる場合は、レーザ光に対する強度に優れたサファイヤや金等、あるいは、金属製のガイド部材の表面に金メッキ等が施されてレーザに対する強度が高められたものが用いられる。ガイド部材７は、貫通孔７Ａ内において、光ファイバ２の被覆除去部２Ａの先端付近を内包すると共に、貫通孔小径部４２の先端側端面４２ｆに当接して配置されている。よって、貫通孔４１内においてガイド部材７を常に一定の位置に備えることが出来る。なお、貫通孔小径部４２はガイド部材７の外径よりも小径に形成されており、ガイド部材７が貫通孔小径部４２よりも奥へ移動することはない。
【００１９】
また、ガイド部材７は、その外周部に対面したアウタースリーブ４の円周上に９０°間隔で貫通形成された４箇所のネジ穴８からビス９がねじ込まれ、これら４個のビス９によって貫通孔４１内に保持されている。ガイド部材７の外径は、ガイド部材７と貫通孔４１との間に、任意に間隙が生じるように設定されているので、４個のビス９のねじ込み状態を微調整することにより、貫通孔４１内におけるガイド部材７の位置を、周方向へ任意に移動させることが出来る構成となっている。なお、本発明で言う複数個の支持手段とは、４個のビス９に相当する。
【００２０】
図２は、図１で示したＺ−Ｚ’における断面図を光コネクタ１の先端方向から見た様子を示している。図２（Ａ）は、ガイド部材７の貫通孔７Ａに挿通された光ファイバ２の被覆除去部２Ａが、貫通孔７Ａの内壁側（マイナスＹ方向）に偏り接した状態である。つまり、光コネクタ１の先端において、被覆除去部２Ａが光コネクタ１の長手方向の軸心に対して偏心した状態を示している。なお、図中に示したＸ軸、Ｙ軸の交差した点が、光コネクタ１の長手方向の軸心を示している。
【００２１】
上述した光コネクタ１の構成によれば、ガイド部材７を保持している４個のビス９（９ａ、９ｂ、９ｃ、９ｄ）をそれぞれ微調整することによって、ガイド部材７を光コネクタ１の径方向へ任意に移動させることが出来る。そして、このガイド部材７の移動に伴なって、ガイド部材７の貫通孔７Ａ内に挿通された光ファイバ２の被覆除去部２Ａは、貫通孔７Ａの内壁に押されながら移動する。つまり、ガイド部材７の位置調整を行うことによって、光コネクタ１の先端における光ファイバ２の被覆除去部２Ａの位置を任意に移動させることが出来る。そこで、図２（Ａ）では、光ファイバ２の被覆除去部２ＡがマイナスＹ方向に偏心しているので、ビス９ａを緩め、ビス９ｃをプラスＹ方向へねじ込むことによって、ガイド部材７をプラスＹ方向へ移動させる。すると、図２（Ｂ）に示したようにガイド部材７が矢印方向へ移動し、貫通孔７Ａ内に挿通された光ファイバ２の被覆除去部２Ａが光コネクタ１の軸心上に移動する。なお、上記調整を行うにあたり、必要に応じて適宜ビス９ｂ、９ｄの締め付け具合を調整する。
【００２２】
以上のように、光コネクタ１に光ファイバ２を組込んだ後に、被覆除去部２Ａの位置を移動調整し、光コネクタ１の長手方向の軸心上に配置させることが出来る。なお、上述した光コネクタ１では、光ファイバ２の軸心を光コネクタ１の軸心へ移動調整を行うことを前提に説明したが、これに限らず、光コネクタ１の先端において、光ファイバ２の被覆除去部２Ａの軸心を任意の位置へ移動調整出来るように設計するも良い。また、上記光コネクタ１の貫通孔４１内には貫通孔小径部４２が形成されているがその限りではなく、光コネクタの構成上必要ない場合は、貫通孔小径部４２が形成されなくても良い。
【００２３】
図３は、図１で示した光コネクタ１とは別の実施形態を示している。１Ａは光コネクタであって、図１で示した光コネクタ１の先端部に、ガイド部材７を安定保持させる為のアジャスタ１０を設けた構造である。よって、光コネクタ１と共通部分については同一符号を付し、その説明は省略する。なお、本発明で言う押え部材とはアジャスタ１０に相当する。
【００２４】
ガイド部材７は、アウタースリーブ４Ａの貫通孔４１Ａ内に形成された貫通孔小径部４２Ａの先端側端面４２ｇに当接して備えられており、ガイド部材７の先端側にはアジャスタ１０を備えている。アジャスタ１０には、ガイド部材７側に向かって有底孔１０ａが形成され、有底孔１０ａには、有底孔１０ａから先端が突出した状態でコイルバネ１０ｂを備えている。コイルバネ１０ｂの一端はガイド部材７に接しており、常に、ガイド部材７を貫通孔小径部４２の先端側端面４２ｆへ押圧し続ける付勢力を与えている。これにより、ガイド部材７を常に先端側端面４２ｆに接した位置に保つことが出来る。なお、アジャスタ１０に備えるコイルバネ１０ｂの数は１個でも良いし、複数個のコイルバネ１０ｂを例えば等間隔に円周上に配置しても良い。また、上記構成では、付勢力を与える手段としてコイルバネ１０ｂを用いて説明したがその限りではなく、ガイド部材７を貫通孔小径部４２の先端側端面４２ｆへ押し付けることが出来る手段であれば良い。なお、アジャスタ１０は、光コネクタ１Ａの用途によってその材質が適宜選択され、例えば、光コネクタ１Ａが高出力レーザを伝送する光ファイバに取り付けられる場合は、レーザ光に対する強度に優れたサファイヤや金等、あるいは、金属製のガイド部材の表面に金メッキ等が施されてレーザに対する強度が高められたものが用いられる。
【００２５】
また、光コネクタ１、光コネクタ１Ａに備えたガイド部材７に代えて、図４に示したような、外周面上に一条の溝７１Ａが環状形成されたガイド部材７１を用いても良い。溝７１Ａは、上述した支持手段であるビス９の先端部が嵌合する幅に設定されている。
【００２６】
図５は、図１で示した光コネクタ１に、ガイド部材７に代えてガイド部材７１を組み込んだ実施形態である光コネクタ１Ｂである。ガイド部材７１を用いることによって、アウタースリーブ４に形成されたネジ穴８からねじ込まれたビス９の先端を溝７１Ａに落とし込まさせること出来るので、アウタースリーブ４の貫通孔４１内でガイド部材７１が保持される。即ち、本構成によれば、ガイド部材７１に形成した溝７１Ａの位置と、アウタースリーブ４に形成したネジ穴８の位置とを任意に設定しておけば、貫通孔４１内におけるガイド部材７１の長手方向への位置が自ずと決まるので、ガイド部材７１を常に任意の位置へ安定的に、且つ、容易に配置させることが出来る。また、ビス９が緩んだ状態であっても、ビス９の先端が溝９内に噛み合っていれば、ガイド部材７１が貫通孔４１内で長手方向にずれたり、また、軸心に対して傾いたりすることが防止出来る。よって、ビス９を微調整することによって行うガイド部材７１の位置調整作業が行い易くなる。
【００２７】
また、ガイド部材５を支持する手段として、図６（Ａ）に示したプランジャ１１を上記ビス９と組み合わせて用いても良い。１２はプランジャ本体であって、その外周にはネジ山１２ａが形成されている。プランジャ本体１２の内部にはその一端から空洞部１２ｂが形成されており、空洞部１２ｂの奥から順にコイルバネ１３と、先端が半球形状の先端片１４とが備えられている。そして、先端片１４は、常時コイルバネ１３によって開口端１２ｆ方向へ付勢されつつ、先端片１４が開口端１２ｆから距離Ｌだけ突出した状態で、突出長Ｌの範囲で弾発自在に保持されいる。図６（Ｂ）は、プランジャ１１の先端から図中の矢印で示した方向へ押圧力が加わることによって、コイルバネ１３が圧縮され、先端片１４が突出長Ｌだけ空洞部１２ｂ内へ移動した状態を示している。先端片１４は、前記押圧力の大きさに応じて前記突出長Ｌの範囲で移動する。なお、前記押圧力が開放されると、先端編４は図６（Ａ）の状態へ復帰する。
【００２８】
図７は、光コネクタ１の支持手段である４個のビス９に代えて、プランジャ１１とビス９とを夫々２個ずつ用いた光コネクタ１Ｃの略断面図であり、Ｚ−Ｚ’における断面図を図８（Ａ）に示している。４はアウタースリーブであり、８は、ガイド部材７の外周部に対面したアウタースリーブ４１の円周上に９０°間隔の４箇所に貫通形成されたネジ穴である。１１ａ、１１ｂはプランジャであり、９ｃ、９ｄはビスである。４箇所のネジ穴８には、プランジャ１１ａとビス９ｃ、プランジャ１１ｂとビス９ｄとが夫々ガイド部材７を挟んだ対向位置に配置され、プランジャ１１ａ、１１ｂとビス９ｃ、９ｄとがガイド部材７方向へねじ込まれて、アウタースリーブ４の貫通孔４１内にガイド部材７が固定される。ここで、プランジャ１１ｂとビス９ｄとを結ぶ軸をＸ軸、プランジャ１１ａとビス９ｃとを結ぶ軸をＹ軸とする。
【００２９】
本構成において、例えば、Ｙ軸上に備えられたビス９ｃをガイド部材７に向かってねじ込んで行くと、ビス９ｃに押されたガイド部材７は、プランジャ１１ａの先端で突出した先端片１４を、プランジャ本体１２内へと押し込んで行くことになる。ここで、プランジャ１１ａが光コネクタ１Ｃに組込まれた状態で、先端片１４の突出長をＬ１とすると、突出長Ｌ１の範囲だけ先端片１４がプランジャ本体１２へ押し込みが可能となる。つまり、ガイド部材７をＹ軸のプラス（＋）方向へＬ１の範囲で移動させることが出来る。
【００３０】
逆に、ビス９ｃをガイド部材７とは反対方向へ進むように緩めて行くと、ビス９ｃを緩める前の状態で、プランジャ１１ａの先端片１４がプランジャ本体１２に押し込まれている距離相当の範囲だけ、ガイド部材７が先端片１４によってＹ軸のマイナス（−）方向へ押されて移動する。ここで、自然状態のプランジャ１１ａにおける先端片１４の突出長をＬ、プランジャ１１ａが光コネクタ１Ｃに組込まれた状態の先端片１４の突出長をＬ１とすると、上記ビス９ｃを緩める前の状態で先端片１４がプランジャ本体１２に押し込まれている距離は（Ｌ−Ｌ１）となる。よって、ビス１１ａをガイド部材７とは反対方向へ進むように緩めて行くと、概ねプランジャ本体１２へ押し込まれている範囲（Ｌ−Ｌ１）相当だけ、ガイド部材７をＹ軸のマイナス（−）方向へ移動させることが出来る。
【００３１】
以上説明したように、支持手段としてプランジャ１１ａとビス９ｃとをガイド部材７を挟んで対向するようにして備え、かつ、ガイド部材７がプランジャ１１ａの先端片１４による付勢力によって常にビス９ｃへ押し付けれらた状態にしておけば、ビス９ｃのみを移動させることによって、ガイド部材７をプランジャ１１ａの先端片１４の可動範囲内においてＹ軸方向へ移動調整することが出来る。また、先端片１４の可動範囲を超えるような位置へガイド部材７を移動させる場合は、予め、あるいは必用に応じてその都度、プランジャ１１ａをＹ軸方向に移動させた後、上記と同じようにビス９ｃ調整のみでガイド部材７を移動させることが出来る。なお、Ｘ軸方向に対しても、上述したＹ軸方向の場合と同様にガイド部材７を移動調整でき、また、Ｘ軸とＹ軸方向の調整を組み合わせて行えば、ガイド部材７を、アウタースリーブ４の貫通孔４１内の任意の位置へ移動調整することが出来る。以上説明したように、Ｘ軸とＹ軸方向の調整を行う間は、常にプランジャ１１ａ、１１ｂ、及び、ビス９ｃ、９ｄの先端部がガイド部材７を支持した状態となっているので、相互間にはがたつきが生じず、常に安定した状態でガイド部材７を微動調整することが出来る。即ち、ガイド部材７の貫通孔７Ａに挿通された光ファイバ２の被覆除去部２Ａを、常に安定した状態で位置調整することが出来る。
【００３２】
図８（Ａ）に示した光コネクタ１Ｃは、その中心に備えた光ファイバ２の被覆除去部２Ａが、光コネクタ１Ｃの軸心に対してマイナス（−）Ｙ方向に偏心した状態を示している。この偏心を補正する為には、ビス９ｃをプラス（＋）Ｙ方向へねじ込むのみで、ガイド部材７をプラス（＋）Ｙ方向へ移動する。すると、図８（Ｂ）に示したようにガイド部材７が図中の矢印方向へ移動し、貫通孔７Ａ内に挿通された光ファイバ２の被覆除去部２Ａが光コネクタ１Ｃの軸心に移動し、光コネクタ１Ｃにおける被覆除去部２Ａの偏心補正が完了する。この時、プランジャ１１ａの先端片１４はガイド部材７によって本体部１２内へ押し込まれていくので、先端片１４の突出長がＬ１からＬ２へと短くなる。上記調整を行うにあたり、必要に応じて適宜ビス９ｄやプランジャ１１ｂの締め付け具合を調整する。
【００３３】
なお、上記で説明したプランジャ１１（１１ａ、１１ｂ）は、単にプランジャの一例を示したものであり、その他の種類として例えば、上述した先端片１４の代わりに、プランジャ本体１２の先端に金属製のボールを備えたタイプのボールプランジャを用いた場合も同様の効果が得られる。また、図７で示した光コネクタ１Ｃにおいて、ガイド部材７に代えて、図４に示した外周に溝７１Ａが形成されたガイド部材７１を用いても良い。このような構成の場合、溝７１Ａが形成されたガイド部材７１を用いた効果と、プランジャ１１を用いた効果とを同時に得ることが出来る。
【００３４】
上記実施例において、ガイド部材７や７１が、ビス９とプランジャ１１とを組み合わせて４個の支持手段によって構成したがその限りではなく、アウタースリーブ４内でガイド部材７や７１を任意に移動可能なように、ビス９及びプランジャ１１をそれぞれ必要数だけ任意に選択し組み合わせて設計される。また、ガイド部材７（７１）は、断面円形の物を用いて説明したがその限りではなく、その形状は適宜設計されるものである。その一例として図９に示した光コネクタ１Ｄのように、ガイド部材７２の断面形状が四角形であっても良く、この場合も、ビス９（９ａ、９ｂ、９ｃ、９ｄ）や、プランジャ（図９では用いていない）等の支持手段を調整することによって、アウタースリーブ４内でガイド部材７２を移動させ、ガイド部材７２に挿通された光ファイバ２の被覆除去部２Ａを任意に移動調整出来る。
【００３５】
【効果】
本発明の光コネクタを用いれば、光コネクタに光ファイバを組み付けた後に、光コネクタの先端面における光ファイバの偏心補正を高精度に行うことが出来る。
【００３６】
また、仮に光コネクタのアウタースリーブに形成された貫通孔が、光コネクタの軸心に対して偏心するなどして、高精度に形成されていない場合であっても、前記貫通孔内において、ガイド部材を径方向に移動調整すれば、前記貫通孔の偏心等のずれを吸収補正することが出来る。よって、光コネクタの径方向に対する部品精度の影響を受けにくい光コネクタが達成され、その結果、組立時に生じる加工ロスを減少させることが出来る。
【図面の簡単な説明】
【図１】本発明の光コネクタの略断面図を示している。
【図２】図１で示した光コネクタのＺ−Ｚ’における断面図を示している。
【図３】図１とは別の本発明の光コネクタの略断面図を示している。
【図４】本発明の光コネクタに用いるガイド部材を示している。
【図５】図４で示したガイド部材を備えた光コネクタの略断面図を示している。
【図６】本発明の光コネクタに用いる支持手段の断面図を示している。
【図７】図６で示した支持手段を備えた光コネクタの略断面図を示している。
【図８】図７で示した光コネクタのＺ−Ｚ’における断面図を示している。
【図９】断面形状が四角のガイド部材を備えた、本発明の光コネクタの断面図を示している。
【図１０】従来の光コネクタの略断面図を示している。
【符号の説明】
１、１Ａ、１Ｂ、１Ｃ、１Ｄ    光コネクタ
２    光ファイバ
２Ａ    光ファイバの被覆除去部（光ファイバ）
４１、４１Ａ    貫通孔
４２、４２Ａ    貫通孔小径部（貫通孔）
７、７１、７２    ガイド部材
７１Ａ    溝
９、９ａ、９ｂ、９ｃ、９ｄ    ビス（支持手段）
１０    アジャスタ（押え部材）
１１、１１ａ、１１ｂ    プランジャ（支持手段）
【図１】
0004756800.tif 000002
【図２】
0004756800.tif 000003
【図３】
0004756800.tif 000004
【図４】
0004756800.tif 000005
【図５】
0004756800.tif 000006
【図６】
0004756800.tif 000007
【図７】
0004756800.tif 000008
【図８】
0004756800.tif 000009
【図９】
0004756800.tif 000010
【図１０】
0004756800.tif 000011